(57)【要約】  規則的パターンを画像化する方法が提供される。多チャネル・イメージングヘッドはスワス境界がパターンの視覚的画像化特徴内に出現しないように所定の規則的パターンの反復に従って構成されている。画像化物品は画像化特徴内のスワス境界の排除により視認可能バンディングが低減した。
2007523367.tif 000002
【特許請求の範囲】
【請求項１】
特徴の規則的パターンを画像化する、多重チャネル・イメージングヘッド（ｍｕｌｔｉｐｌｅ  ｃｈａｎｎｅｌ  ｉｍａｇｉｎｇ  ｈｅａｄ）を構成する方法であって、
パターン中の該特徴間の反復距離を決定する工程と、
１つのみまたは複数の完全パターン特徴が、イメージングヘッドの単一の走査で画像化されるように、画像化用チャネル数を決定する工程と、
前記決定されたチャネル数に従って前記イメージングヘッドを構成する工程と、
を含むことを特徴とする、多重チャネル・イメージングヘッドを構成する方法。
【請求項２】
前記イメージングヘッドを構成する工程が、前記多重チャネルのうちの少なくとも１つを無効にすることを含むことを特徴とする請求項１に記載の方法。
【請求項３】
前記多重チャネルのうちの少なくとも１つは画像化されず、前記多重チャネルのうちの前記少なくとも１つが、前記単一の走査において、画像化された最初のチャネルと画像化された最後のチャネルとの間に位置することを特徴とする請求項１に記載の方法。
【請求項４】
前記イメージングヘッドが、前記イメージングヘッドの単一の走査で、整数の完全パターン特徴と１つの部分パターン特徴とを画像化する十分なチャネルを有するとともに、
前記イメージングヘッドを構成する工程が、前記整数の完全パターン特徴のみが、前記イメージングヘッドの単一の走査で画像化されるように、少なくとも前記１つの部分パターン特徴を画像化するチャネルを無効にすることを含むことを特徴とする請求項２に記載の方法。
【請求項５】
前記規則的パターンが、前記イメージングヘッドの複数の走査で画像化され、各連続走査が、前回の走査に隣接していることを特徴とする請求項１に記載の方法。
【請求項６】
前記多重チャネルが、規則的に一定距離をおいて配置されているとともに、前記連続走査において画像化された前記最初のチャネルが、前回の走査において画像化された最後のチャネルから、前記一定距離より大きく移動されていることを特徴とする請求項５に記載の方法。
【請求項７】
前記連続走査において画像化された最初のチャネルが、少なくとも前回の走査において画像化されなかった最後のチャネルに重複することを特徴とする請求項５に記載の方法。
【請求項８】
前回の走査で画像化された最後のチャネルが、少なくとも後続走査で画像化されなかった最初のチャネルに重複することを特徴とする請求項５に記載の方法。
【請求項９】
前記イメージングヘッドを構成する工程が、メモリ要素内に記憶された少なくとも１つのパラメータを変更することを含むことを特徴とする請求項１に記載の方法。
【請求項１０】
前記パラメータが、前記決定されたチャネル数に相当することを特徴とする請求項９に記載の方法。
【請求項１１】
前記イメージングヘッドを構成する工程が、前記特徴のパターンを表わす画像データを再フォーマットすることを含むことを特徴とする請求項１に記載の方法。
【請求項１２】
前記イメージングヘッドを用いて少なくとも２つの異なる規則的パターンを画像化するとともに、前記構成する工程が異なる規則的パターン毎に行われることを特徴とする請求項１に記載の方法。
【請求項１３】
前記規則的パターンが、カラーフィルタ特徴のパターンを備えることを特徴とする請求項１に記載の方法。
【請求項１４】
前記カラーフィルタ特徴が、複数の異なる有色細長ストライプを備えるとともに、各色の前記細長ストライプが、別々に画像化されることを特徴とする請求項１３に記載の方法。
【請求項１５】
前記カラーフィルタ特徴のパターンが、複数の異なる有色特徴を備えるとともに、各色の前記特徴が、別々に画像化されることを特徴とする請求項１３に記載の方法。
【請求項１６】
カラーフィルタ基板を設ける工程と、
前記基板上にブラック・マトリクスを形成する工程と、
パターン色毎に有色色素供与体要素を設ける工程と、
順に、前記基板上に形成された前記ブラック・マトリクスを、各有色色素供与体要素で覆い、前記供与体色に対応する前記パターン色特徴を画像化し、さらに前記画像化された有色色素供与体要素を除去する工程と、
をさらに含むことを特徴とする請求項１５に記載の方法。
【請求項１７】
各色の前記特徴が、前記イメージングヘッドの複数の走査で画像化され、各連続走査が前記前回の走査に隣接していることを特徴とする請求項１６に記載の方法。
【請求項１８】
前記ブラック・マトリクス上に、前記それぞれの複数の走査中に、前記画像化された最初のチャネルおよび前記画像化された最後のチャネルによって、少なくとも画像化されることを特徴とする請求項１７に記載の方法。
【請求項１９】
前記多重チャネルが、規則的に一定距離をおいて配置されているとともに、前記連続走査で画像化された前記最初のチャネルが、前回の走査で画像化された前記最後のチャネルから、前記一定距離より大きく移動されていることを特徴とする請求項１７に記載の方法。
【請求項２０】
前記連続走査で画像化された最初のチャネルが、少なくとも前記前回の走査で画像化されなかった最後のチャネルに重複することを特徴とする請求項１７に記載の方法。
【請求項２１】
前記前回の走査で画像化された最後のチャネルが、少なくとも後続走査で画像化されなかった最後のチャネルに重複することを特徴とする請求項１７に記載の方法。
【請求項２２】
前記連続走査で画像化された最初のチャネルが、少なくとも前記前回の走査で画像化された最後のチャネルに重複することを特徴とする請求項１８に記載の方法。
【請求項２３】
前記多重チャネルのうちの少なくとも１つは画像化せず、前記多重チャネルのうちの前記少なくとも１つが、前記それぞれの複数の走査中に、画像化された最初のチャネルと画像化された最後のチャネルとの間に位置することを特徴とする請求項１７に記載の方法。
【請求項２４】
前記多重チャネルのうちの前記少なくとも１つが、前記ブラック・マトリクス上に画像化しないことを特徴とする請求項２３に記載の方法。
【請求項２５】
前記多重チャネルのうちの少なくとも１つが、２つの隣接配置された色特徴を同時に画像化することができず、前記２つの隣接配置された色特徴が前記ブラック・マトリクスによって分離されていることを特徴とする請求項１６に記載の方法。
【請求項２６】
前記パターンが、１つまたは複数の高分子半導体要素を表わす特徴を備えることを特徴とする請求項１に記載の方法。
【請求項２７】
前記パターンが、ラボチップ・デバイス（ｌａｂ−ｏｎ−ａ−ｃｈｉｐ  ｄｅｖｉｃｅ）の要素を表わす特徴を備えることを特徴とする請求項１に記載の方法。
【請求項２８】
請求項１に記載の方法を含む転染法により作製されたことを特徴とするカラーフィルタ。
【請求項２９】
請求項１に記載の方法により構成された特徴の規則的パターンを画像化することを特徴とする多重チャネル・イメージングヘッド。
【請求項３０】
各々が入射光線に作用して変調光線を生成可能な、複数の制御可能要素を有するライトバルブ（ｌｉｇｈｔ  ｖａｌｖｅ）と、
前記制御可能要素を照明する光源と、
前記変調光線を画像化媒体上に向けるレンズとを備えることを特徴とする請求項２９に記載の多重チャネル・イメージングヘッド。
【請求項３１】
前記光源がすべての要素を同時に照明するように構成されていることを特徴とする請求項３０に記載の多重チャネル・イメージングヘッド。
【請求項３２】
前記ライトバルブが、複数の変形可能鏡要素を備えることを特徴とする請求項３０に記載の多重チャネル・イメージングヘッド。
【発明の詳細な説明】
【技術分野】
【０００１】
本発明はイメージングシステムに関し、特にイメージングシステム内で規則的パターンを画像化する方法に関する。
関連出願の相互参照
本出願は米国特許法第１１９条（ｅ）項（３５Ｕ．Ｓ．Ｃ．§１１９（ｅ））により２００４年１月２８日に出願された仮出願番号第６０／５３９，３３８号明細書の利益を主張するものであり、その全体を本明細書に引用して援用する。
【背景技術】
【０００２】
ディスプレイおよび半導体電子装置用に一般に採用される作製技術はいくつかの画像化工程を含む。レジストまたは他の感光材料が塗布されたカラーフィルタ基板はフォトツールマスクを介して放射線に露光されてある変化を生じる。本来これらの作製プロセスは多数の個々の工程を含み、各工程は一般に有限の失敗可能性を有するため、全体の歩留まりが低減するとともに完成品のコストが増加する。具体例は液晶ディスプレイとしても既知のフラットパネルディスプレイ用のカラーフィルタの作製である。カラーフィルタ作製は高い材料コストと低い歩留まりのため非常に高価な工程である場合がある。従来のフォトリソグラフィ処理はスピンコーティング、スリットおよびスピンまたはスピンレスコーティングなどの塗布技術を用いてカラーレジスト材料を基板に塗布する工程を含む。そしてその材料をフォトツールマスクを介して露光した後、現像プロセスが続く。
【０００３】
ダイレクトイメージングがディスプレイおよび特にカラーフィルタの作製に用いられることが提案されている。デボア（Ｄｅｂｏｅｒ）らに付与された米国特許公報（特許文献１）は例えばカラーフィルタ要素を作製する転染法を記載している。色素受容要素としても既知のカラーフィルタ基板は色素供与体要素（カラー転写フィルムとしても既知である）に覆われてその後画像加熱されることにより選択的に染料または顔料を供与体から受容体に転写する。画像加熱の好適な方法は複数のレーザ光線を好適に備えるレーザヘッドによるものである。ダイオードレーザはその変調容易性、低コストおよび小型サイズのため特に好適である。なお用語「転染法」はその名前が暗示するように染料の画像転写に限定されることはない。転染法は顔料と同様なタイプの着色剤組成とが塗布された色素供与体の画像転写を含むこともできる。
【０００４】
ダイレクトイメージングシステムは通例数百の個々に変調された平行な光線を有するレーザヘッドを用いて画像を完成するのにかかる時間を低減している。光線の各々は画像化工程中に対応するレーザピクセルを作製するように変調される。ブランシェット−フィンシャー（Ｂｌａｎｃｈｅｔ−Ｆｉｎｃｈｅｒ）らに付与された米国特許公報（特許文献２）は例えばカラーフィルタなどの受容要素上の二重画像の作製を記載している。これらの例で提案されているレーザヘッドは、各々がおよそ９０ｍＷの単一モード出力を有する３２個の８３０ｎｍレーザダイオードで構成されている。さらに多くのチャネルまたはレーザピクセルを有するイメージングヘッドは現在一般に入手可能であり、カナダ、ブリティッシュ・コロンビア州、バーナビー（Ｂｕｒｎａｂｙ，Ｂｒｉｔｉｓｈ  Ｃｏｌｕｍｂｉａ，Ｃａｎａｄａ）のクレオ・インコーポレーション（Ｃｒｅｏ  Ｉｎｃ．）により製造されたスクエアスポット（登録商標）（ＳＱＵＡＲＥｓｐｏｔ（登録商標））サーマル・イメージングヘッドにより例示される。これらのイメージングヘッドは、各チャネルが１００ｍＷを超えるパワーを有する２４０個の個別イメージングチャネルまで入手可能である。画像は近接当接して連続画像を形成する複数のレーザ光線によって作製される一連のバンドまたはスワスで描かれる。（なお用語「チャネル」および「レーザピクセル」は本明細書において交換可能に用いられる。）
【０００５】
多チャネル・イメージングシステムに伴う１つの問題は、すべてのチャネルが確実に同等な画像化特性を有するようにすることが非常に困難なことである。パワー、光線サイズ、光線形状および焦点に対するチャネル毎のばらつきはすべて「バンディング」として既知の共通画像化アーチファクトの生成の原因となる。バンディングは連続画像化されたスワス間のエリアにおいて特に顕著であることが多い。各スワスは開始端線と終了端線とを有する対応画像によって規定される。その結果バンディングは主に、最後に走査されたスワスの終了端線と次に走査されたスワスの開始端線とが通常スワスの両遠位端にあるチャネルによって描かれて異なる画像化特性を有する可能性が高いため発生する。スポットサイズのチャネルからチャネルへの段階的増加はスワス内では視認可能でないこともあるが、あるスワスが他のスワスに当接している場合、スワス境界における不連続性は非常に顕著になる場合がある。これらの顕著なスワス境界不連続性は、転染法によって作製されたカラーフィルタを視認する場合、好ましくない視覚的アーチファクトにつながる恐れがある。
【０００６】
バンディングは多チャネル画像化に一般的な問題であるとともに慎重な整列とイメージングヘッドの較正とにより低減し得る。しかし熱的および機械ドリフトはある時間経つとバンディング再出現を生じる恐れがある。従って特にスワス境界においてバンディングの視認性を低減する画像化方法のニーズが依然としてある。
【０００７】
【特許文献１】米国特許第４，９６５，２４２号明細書
【特許文献２】米国特許第６，１４６，７９２号明細書
【特許文献３】米国特許第５，５１７，３５９号明細書
【特許文献４】米国特許公開第２００４／０００４１２２Ａ１号明細書
【非特許文献１】エラン・エリズール（Ｅｒａｎ  Ｅｌｉｚｕｒ）およびダン・ゲルバート（Ｄａｎ  Ｇｅｌｂａｒｔ）著、論文「フラットパネルディスプレイ製造のための熱転写（Ｔｈｅｒｍａｌ  Ｔｒａｎｓｆｅｒ  ｆｏｒ  Ｆｌａｔ  Ｐａｎｅｌ  Ｄｉｓｐｌａｙ  Ｍａｎｕｆａｃｔｕｒｉｎｇ）」国際情報ディスプレイ学会誌（Ｊｏｕｒｎａｌ  ｏｆ  ｔｈｅ  Ｓｏｃｉｅｔｙ  ｆｏｒ  Ｉｎｆｏｒｍａｔｉｏｎ  Ｄｉｓｐｌａｙ）Ｖｏｌ．１１、１１月１日、ｐ．１９９−２０２
【発明の開示】
【発明が解決しようとする課題】
【０００８】
本発明によれば、画像化された特徴の視認可能部分内に境界が発生しないように画像化スワス内のチャネル数を設定することによりスワス境界において発生する視認バンディングを低減する、特徴の規則的パターンを画像化する方法が提供される。
【課題を解決するための手段】
【０００９】
本発明によれば特徴の規則的パターンを画像化する多重チャネル・イメージングヘッドを構成する方法が提供され得る。パターン中の特徴間の反復距離を決定し得る。１つのみまたは複数の完全パターン特徴が、イメージングヘッドの単一の走査で画像化されるように画像化用チャネル数を決定し得る。決定されたチャネル数に従ってイメージングヘッドを構成し得る。本発明の方法を用いて例えばカラーフィルタを作製し得る。
【００１０】
一例においてイメージングヘッドを構成する工程が、多数のチャネルのうちの少なくとも１つを無効にすることを含む。他の例において多数のチャネルのうちの少なくとも１つは画像化されず、その多数のチャネルのうちの少なくとも１つが、単一の走査において、画像化された最初のチャネルと画像化された最後のチャネルとの間に位置する。さらに他の例においてイメージングヘッドが、イメージングヘッドの単一の走査で整数の完全パターン特徴と１つの部分パターン特徴とを画像化する十分なチャネルを有する。そのような例においてイメージングヘッドを構成する工程が、整数の完全パターン特徴のみがイメージングヘッドの単一の走査で画像化されるように、少なくとも１つの部分パターン特徴を画像化するチャネルを無効にすることを含む。
【００１１】
さらに他の例において規則的パターンが、イメージングヘッドの複数の走査で画像化され、各連続走査が、前回の走査に隣接している。一例において多数のチャネルが規則的に一定距離をおいて配置されているとともに、連続走査で画像化された最初のチャネルが、前回の走査で画像化された最後のチャネルから、一定距離より大きく移動されている。他の例において連続走査で画像化された最初のチャネルが、少なくとも前回の走査で画像化されなかった最後のチャネルに重複する。さらに他の例において前回の走査で画像化された最後のチャネルが少なくとも連続走査で画像化されなかった最初のチャネルに重複する。
【００１２】
さらに他の例においてイメージングヘッドを構成する工程が、メモリ要素内に記憶された少なくとも１つのパラメータを変更することを含む。パラメータが、例えば決定されたチャネル数に相当し得る。さらに他の例においてイメージングヘッドを構成する工程が、特徴のパターンを表わす画像データを再フォーマットすることを含む。さらに他の例においてイメージングヘッドを用いて少なくとも２つの異なる規則的パターンを画像化するとともに、構成する工程が異なる規則的パターン毎に行われる。
【００１３】
さらに他の例において規則的パターンが、カラーフィルタ特徴のパターンを含み、カラーフィルタ特徴が、例えば複数の異なる有色細長ストライプを含み得る。各色の細長ストライプは別々に画像化され得る。
【００１４】
さらに他の例において規則的パターンが、カラーフィルタ特徴のパターンを含み、カラーフィルタ特徴が、例えば複数の異なる有色特徴を含み得る。各色の特徴は別々に画像化され得る。このような例に関連してカラーフィルタ基板を設け得る。基板上にブラック・マトリクスを形成し得る。パターン色毎に有色色素供与体要素を設け得る。基板上に形成されたブラック・マトリクスを各有色色素供与体要素で覆い、供与体色に対応するパターン色特徴を画像化し、さらに画像化された有色色素供与体要素を除去し得る。各色の特徴が例えばイメージングヘッドの複数の走査で画像化され、各連続走査が、前回の走査に隣接している。一例においてブラック・マトリクス上に、それぞれの複数の走査中に、画像化された最初のチャネルおよび画像化された最後のチャネルによって、少なくとも画像化される。他の例において多数のチャネルが規則的に一定距離をおいて配置され得るとともに、連続走査で画像化された最初のチャネルが、前回の走査で画像化された最後のチャネルから、一定距離より大きく移動され得る。さらに他の例において連続走査で画像化された最初のチャネルが、少なくとも前回の走査で画像化されなかった最後のチャネルに重複し得る。さらに他の例において前回の走査で画像化された最後のチャネルが少なくとも連続走査で画像化されなかった最後のチャネルに重複し得る。さらに他の例において連続走査で画像化された最初のチャネルが、少なくとも前回の走査で画像化された最後のチャネルに重複し得る。
【００１５】
さらに他の例において多数のチャネルのうちの少なくとも１つは画像化せず（例えばブラック・マトリクス上に）、その多数のチャネルのうちの少なくとも１つが、それぞれの複数の走査中に、画像化された最初のチャネルと画像化された最後のチャネルとの間に位置する。さらに他の例において多数のチャネルのうちの少なくとも１つが２つの隣接配置された色特徴を同時に画像化することができず、２つの隣接配置された色特徴がブラック・マトリクスによって分離されている。
【００１６】
さらに他の例において規則的パターンが、１つまたは複数の高分子半導体要素を表わす特徴を含む。さらに他の例において規則的パターンが、ラボチップ・デバイスの要素を表わす特徴を含む。
【００１７】
さらに他の例においてカラーフィルタを本明細書に記載された実施形態の方法を含む転染法により作製し得る。さらに他の例において特徴の規則的パターンを画像化する多重チャネル・イメージングヘッドを本明細書に記載された実施形態の方法により構成し得る。多重チャネル・イメージングヘッドは、例えば各々が入射光線に作用して変調光線を生成可能な複数の制御可能要素を有するライトバルブを含み得る。イメージングヘッドは制御可能要素を照明する光源を含み得る。イメージングヘッドは変調光線を画像化媒体上に向けるレンズを含み得る。光源を例えばすべての要素を同時に照明するように構成し得る。ライトバルブは例えば複数の変形可能鏡要素を含み得る。
【００１８】
本発明の理解のため添付の図面とともにここで一例として以下の詳細な説明を参照する。
【００１９】
本発明のさらなる実施形態と、その本質と、様々な利点とは、添付の図面とともに以下の詳細な説明を考慮すればより明らかになろう。図面において同様な記号は図面全体を通して同様な部分を指す。
【発明を実施するための最良の形態】
【００２０】
以下の説明は多数の具体的な詳細を含む。このような詳細の包含は単に説明を目的とするものであり、本発明を限定するものと理解すべきではない。さらにまた本発明の主題の複雑化を避けるため当該技術における周知のある特徴は詳細に説明しない。加えて一実施形態の特徴を本発明の他の実施形態の特徴と組み合わせ得ることは理解されよう。
【００２１】
いくつかの構成の色要素がＬＣＤ表示パネル用のカラーフィルタで用いられている。各色要素は通例７０μｍ〜１００μｍの範囲の短辺と２００μｍ〜３５０μｍの範囲の長辺とを有する長方形である。図１−Ａに示したストライプ構成は赤色、緑色および青色の交互列を有するとともに、対応する色要素を形成するようにブラック・マトリクスにより輪郭が描かれる最も一般的なものである。図１−Ｂに示したモザイク構成は両方向に交互する色要素を有して改善カラーマトリクスを提供する。互いに三角関係にある赤色、緑色および青色フィルタ要素を有するデルタ構成（図示せず）は最高の色混合を提供する。モザイクおよびデルタ構成カラーフィルタは作製がより困難であり、しかもモザイク構成はより複雑な駆動回路を必要とする。
【００２２】
図１−Ａはストライプ構成カラーフィルタ１０の一部分を示す。カラーフィルタ１０は、基板１８にわたって交互列に形成された複数の赤色、緑色および青色の色要素１２、１４および１６を備えている。色要素１２〜１６はブラック・マトリクス層２０により縁取られ、ブラック・マトリクス層２０は要素を分割するとともに要素間のバックライト漏れを防止する。列は一般に細長ストライプ状に画像化され、その後ブラック・マトリクス２０により個々の色要素１２〜１６に細分化される。関連するＬＣＤパネル（図示せず）上のＴＦＴトランジスタは領域２２においてブラック・マトリクスの一部分によりマスキングされる。図１−Ｂはモザイク構成のカラーフィルタ２４を示しており、図１−Ａに示したストライプ構成フィルタ１０と唯一異なっているのは、列に沿っておよび行にわたり色が交替する色要素１２〜１６のレイアウトである。
【００２３】
通例図１−Ａのカラーフィルタ１０の製造中、色要素１２〜１６の各々は、各それぞれの色要素を縁取るブラック・マトリクス２０のそれぞれの部分上に部分的にまたは完全に重複することができる。ブラック・マトリクスとの重複は、それぞれの色要素の輪郭を描くブラック・マトリクス２０の部分の境界内で正確に各色要素に色を加えようとする場合に遭遇し得る位置合わせ問題を大幅に低減する。さらに転染法を用いて様々な色要素を作製する場合、各連続色素供与体（ｄｙｅ  ｄｏｎｏｒ）（カラー転写フィルムとしても既知である）がそれぞれの色要素の画像化後に除去される時に、エッジ不連続性およびピンホールなどの様々なアーチファクトが生じ得る。これらのアーチファクトは通例、色素供与体が剥離される時に、エッジに転写された色素材料が色素受容要素への付着を維持するのに十分な接着剤剥離強度を有さない場合があるため発生する。このためブラック・マトリクス２０との重複がこのようなエッジ不連続性の隠蔽を可能にするとともに、色要素内の透明領域およびボイド自体が最低限に抑えられるためそれぞれの色要素間に確実に所望のコントラストを達成するのに役立つ。
【００２４】
ブラック・マトリクス２０の一部分の完全な重複の例が図１−Ａに明示されている。この例において色要素１２は、各赤色ストライプ内の各赤色要素１２の輪郭を描くブラック・マトリクス２０の水平部分２５に完全に重複し得る赤色ストライプにより作製されている。言うまでもなく各色要素１２はブラック・マトリクス２０の垂直部分２７に部分的にのみ重複して、隣接のストライプの色要素上に重畳しないようになっている。ブラック・マトリクスの部分的重複の要件が図１−Ｂに図示したモザイク構成にさらに明示されている。この例において任意の所与の色要素をその４辺において、それぞれの色要素とは異なる色で構成された隣接の色要素によって取り囲むこともできる。この例では色要素１２はブラック・マトリクス２０の水平部分２５と垂直部分２７とに部分的にのみ重複することも可能であり、隣接の色要素上に不都合に重畳しないようになっている。
【００２５】
本発明の実施形態においてカラーフィルタは転染法によって作製される。この方法は複数のレーザ光線を備えるレーザヘッドを用いてカラーフィルタ受容基板と密着して配置された色素供与体要素を直接画像化することを含む。カラーフィルタ受容基板には通例ブラック・マトリクスが形成されている。なおブラック・マトリクス自体を転染法によって作製することができるが通例、必要な精度を提供するとともにブラック・マトリクス自体内のいかなるエッジアーチファクトおよび不連続性も排除することができるフォトリソグラフィ技術によって形成される。染料または着色剤は多チャネルライトバルブによるレーザヘッドを用いて基板に画像転写される。フィルタの赤色、緑色および青色部分は別々の工程で画像化され、毎回色素供与体要素を転写すべき次の色の色素と交換する。言うまでもなくフィルタの赤色、緑色および青色部分の各々をブラック・マトリクスと一致するように受容基板へ転写しなければならない。色素供与体のすべてを別々に画像化した後、カラーフィルタ要素を約２００〜３００℃の温度で硬化炉内でアニールまたは硬化する。次にオーバーコート層および共通電極を画像化されたカラーフィルタ基板上に続けて形成する。オーバーコート層はカラーフィルタパターンを保護するとともに別々に画像化されたカラーフィルタパターンの表面を平坦化する。共通電極は通例透明な導電材料、例えばインジウムスズ酸化物およびインジウム亜鉛酸化物で作製される。
【００２６】
従来技術のライトバルブによるレーザヘッドが図２に示されている。複数の変化可能鏡要素１０１を備える線形ライトバルブアレイ１００がシリコン基板１０２上に作製されている。レーザ１０４は円柱（ｃｙｌｉｎｄｒｉｃａｌ）レンズ１０８および１１０を備えるアナモルフィックビーム拡大器を用いて照明ライン１０６を生成する。ゲルバート（Ｇｅｌｂａｒｔ）に付与された米国特許公報（特許文献３）は例えば照明ライン１０６を形成する方法を記載している。レンズ１１２は要素１０１が非作動状態にあるときのみ、開口絞り１１６内の開口１１４を介してレーザ照明の焦点を結ばせる。照明ライン１０６は複数の要素１０１にわたって横方向に広がるため要素１０１の各々が照明ライン１０６の一部分によって照明される。
【００２７】
いずれかの特定要素１０１が作動されていない時、開口１１４はその要素からの光を透過する。作動要素からの光は開口絞り１１６によって阻止される。レンズ１１８はライトバルブ１００を画像化してイメージングスワス１２０を形成する。イメージングスワス１２０は複数の個々のレーザ光線を備え、レーザ光線は変調されて対応するレーザピクセルを形成する。レーザピクセルは基板の領域上で走査されて画像を形成する。
【００２８】
硬質基板を画像化する際、ディスプレイパネルの作製に一般的であるように、使用するスキャナは通常基板を平坦配向で固定するフラットベッドスキャナである。基板または画像化光線、もしくはその組み合わせを互いに対してずらすことにより走査を行う。ゲルバート（Ｇｅｌｂａｒｔ）に付与された米国特許公報（特許文献４）はディスプレイパネル画像化に適した高速フラットベッドスキャナの一例を開示している。代替的には可撓性基板をドラムスキャナの外面または内面のどちらかに固定して走査を行ってもよい。ガラスなどの従来硬質であると考えられている基板でも、基板が十分に薄く且つドラムの直径が十分に大きければドラムスキャナ上で走査し得る。
【００２９】
従来技術のダイレクトイメージング方法が図３に概略的に示されている。カラーフィルタ基板１８の一部分が転写法で複数の赤色ストライプ３０〜３６でパターン化されている。赤色ストライプの各々の幅は色要素の見える幅の広さである必要がないばかりか、各それぞれのストライプ内で各赤色要素の輪郭を描くブラック・マトリクスの垂直区分（図示せず）に部分的に重複するのに十分な幅でもよい。第１の位置のライトバルブ３８（多チャネル・イメージングヘッド）は複数の個々にアドレス可能なチャネル４０を有する。図３はライトバルブチャネル４０と破線４１として転写されたパターンとの間の対応関係を示している。なおライトバルブ３８が画像化されたパターンと同一縮尺で図３に示されているが、この概略図は単にライトバルブチャネル４０と描かれているパターン３０〜３６との間の対応関係を示すことを意図するに過ぎず必ずしも物理的な関係を示していないことは理解できよう。特に図２に示すように、基板の平面におけるイメージングスワスの大きさと形状とを再フォーマットし得るレンズ１１８によって基板上にライトバルブを画像化してもよい。各変調レーザ光線は所望の大きさのイメージングスワスを構成するレーザピクセルを作製する。各レーザピクセルは走査方向に垂直な方向に５μｍ（すなわち４８００ｄｐｉ解像度）〜２０μｍ（すなわち１２００ｄｐｉ解像度）の範囲の長さを有し得る。各光線の変調時間が走査方向に平行な方向の各レーザピクセルの幅を決定する。この距離は通例３μｍ〜２０μｍの範囲である。
【００３０】
ライトバルブ３８によって生成された光線は描かれるパターンに従って画像変調されつつ主走査方向４２に基板上を走査される。ストライプの特徴を形成することが望ましければチャネル群４８は作動されて１つまたは複数の画像化光線を生じるが、パターンに対応していない他のチャネルはオフになる。基板は通常大きすぎて単一の走査で画像化できないため、画像化を完了するには基板の多数の走査が必要になる。この場合各走査の後ライトバルブ３８が方向４４に並進するため、後続走査は概して前回の走査の横に並んで整列することになる。図示の実施形態において主走査方向４２の各走査中に走査方向４４の移動はなく、走査が完了した後に移動が生じる。代替的にドラムタイプのスキャナの場合、両方向に同時に走査することができるため、画像をらせん状に描くことができる。また前回の走査を後続の走査に整列させるいくつかの選択肢もある。各スワスはレーザヘッド内の第１の動作チャネルに対応する開始端線とレーザヘッドの最後の動作チャネルに対応する終了端線とを備える画像エリアで構成されている。画像化する際に前回の走査の終了端線を１つまたは複数のチャネル幅だけ後続の走査の開始端線に重複させることによりスワスエッジ効果をもたらすことは既知である。代替的には後続走査の第１のイメージングチャネルをライトバルブ上の隣接のチャネル間の空間に対応する距離だけ前回走査の最後のイメージングチャネルから離間することができる。
【００３１】
光線は第１の主走査で走査される間に赤色ストライプ３０、３２およびストライプ３４の部分３４’が描かれる。第１の主走査が完了すると、ライトバルブ３８は副走査方向４４に破線で示す新たな位置３８’へ移動される。副走査の移動はライトバルブ３８上で利用可能なチャネルの数（この場合３５チャネル）に相当する。３８’の移動されたライトバルブは第１のチャネル４６を、位置３８のライトバルブ上の最後のチャネル４５の前回の位置に隣接して位置決めするため、ストライプ３４の部分３４”を画像化する。前述したようにストライプ３４の部分３４’と３４”との間の境界に線４７として示す視認可能な不連続性の出現を回避することは非常に困難である。この視認可能な不連続性は、ブラック・マトリクス（図示せず）によるストライプ３４の輪郭描写によって作製された色要素内にある場合、好ましくない視覚的なアーチファクトにつながる恐れがある。
【００３２】
本発明によれば不連続性４７は、連続走査中にブラック・マトリクスにより輪郭描写された各色要素内で最終的に視認可能なストライプの画像化エリア内にスワス境界が入らないように画像化を配置することにより回避される。特に２つの隣接走査間の境界が非画像化エリア（注目する特定の色のストライプが画像化されない領域）に収まればよい。本発明のこの実施形態において実質的な間隙は第１の走査の最後の作動チャネルと第２の走査の最初の作動チャネルとの間になる。この間隙は非画像化エリアを超えることになる。代替的にはスワス境界が特定の色要素の輪郭を描くブラック・マトリクス２０の一部分内に収まればよい。本発明のこの実施形態において、第１の走査の最後の作動チャネル（終了端線）と第２の走査の最初の作動チャネル（開始端線）との両方が、特定の色要素の輪郭を描く（方向４２に沿って）ブラック・マトリクスの一部分にあることになる。本発明のこの実施形態において間隙また重複は、結果的に生じる間隙または重複がブラック・マトリクスの輪郭描写部分の範囲に留まる限り少なくとも隣接走査のそれぞれ最後と最初の作動チャネルとの間に存在することもできる。
【００３３】
パターンが事前に既知であるとともに規則的且つ不変の特徴とを有するため本発明の実施形態は可能である。この概念を図４−Ａに関連してさらに説明する。ストライプ３０および３２は主走査方向４２の第１の走査で画像化される。第１の走査でストライプ３４の一部分を画像化することも可能であるが、これを特に避ける。第２の主走査では第１のチャネル４６がストライプ３４の開始で正しく画像化するように位置決めされるようにライトバルブ位置３８を新たな位置３８”に割り送る。（新たな位置３８”におけるライトバルブは、作図内で細部を不明瞭にするのを回避するためにのみ方向４２に移動して示されている。）群５０内のチャネルは無効にされて、ストライプ３４の一部分が第１の主走査中に画像化することもできても、これは特に回避されて得られる色要素内に視認可能になるストライプ内のエリアに出現するスワス境界を防止するようになっている。その結果位置３８でライトバルブにより生じる画像化走査の終了端線は最後の動作チャネルに対応するように調整される。第２の主走査またはスワスにおいて、移動された位置３８”のライトバルブは第１のチャネル４６（画像化走査の開始端線）を用いてストライプ３４の開始部分を画像化する。ライトバルブ３８が毎回全スワス未満だけ（チャネル５０が無効にされているため）副走査方向４４に移動されるという事実のため速度に若干不利益がある。図４−Ａに示した簡略化事例では、速度の不利益はライトバルブ上の３５の総チャネルのうちの５２において括弧でくくられた３チャネルまたは８．５％により表される。実際にライトバルブは数百のチャネルを有し得るとともに速度不利益はより少なくなり得る。チャネル５０はこの特定の構成においてすべて非動作であるため、位置３８のライトバルブがチャネル４６をストライプ３０の開始部分を画像化するように位置決めする必要がないことも明らかであろう。画像化は生産性に影響することなく多数の選択チャネルのうちのいずれか１つにおいて開始し得る。さらに連続走査のうちのいずれかの画像化は異なるチャネルにおいて、第１の走査で画像化が始動されたチャネルから開始し得る。これらの状況は特定の状況に特有であるが、ライトバルブが最適数のチャネルで特別に作製されている場合にはそのような適応性は可能ではないこともある。
【００３４】
図４−Ｂは本発明によるモザイク構成カラーフィルタの画像化方法を示す。本発明はこの場合図４−Ａに示すようなイメージングストライプの代わりに複数の色要素６０が基板１８上に別々に画像化される以外は同等に適用可能である。チャネル６６は今回ならびに色要素６２および６４を画像化する際は無効にされ、ライトバルブは要素全体が単一の走査で画像化されて不連続性が出現しないように再度位置３８”に割り送られる。本発明のこの実施形態ではストライプは画像化されないため連続した非画像化エリアはない。スワス境界ひいては各走査の開始および終了端線はそのため色要素の各々の輪郭を描くブラック・マトリクス（図示せず）の垂直部分上に発生しなければならない。そのためスワス境界は隣接の色要素６３から分離する色要素６２および６４の輪郭を描くブラック・マトリクスの垂直部分上に発生することになる。本発明のこの実施形態において第１の走査の最後の作動チャネル（終了端線）と第２の走査の最初の作動チャネル（開始端線）との両方が、その特定の色要素の輪郭を描く（方向４２に沿って）ブラック・マトリクスの垂直部分上にあることになる。本発明のこの実施形態において間隙または重複は、結果的に生じる間隙または重複がブラック・マトリクスの輪郭描写部分の範囲に留まる限り少なくとも隣接走査のそれぞれ最後と最初の作動チャネルとの間に存在することもできる。換言すれば間隙または重複はブラック・マトリクスの輪郭描写部分より幅が小さい。
【００３５】
同様にデルタ構成カラーフィルタも、規則的離間特徴のパターンの要件がこの構成にもあるため本発明の方法を用いて画像化し得る。
【００３６】
図４−Ｃはストライプ構成が画像化された本発明の他の実施形態を示す。しかし本発明のこの実施形態において各走査は方向４４に画像化されるとともに、後続の走査が方向４２に割り送られる。ストライプ特徴３０、３２および３４は、位置７０によって表わされるブラック・マトリクス（図示せず）の交差点を図示するような中断方式で描かれている。前述したように位置７０によって表わされるブラック・マトリクスの部分は１つには、ブラック・マトリクスのそれぞれの部分に隣接する各色要素の位置合わせおよびコントラスト問題を最小限に抑えるように画像化するだけでよい。そのためライトバルブは、所与のスワス境界内に収まるブラック・マトリクスの任意の部分上に部分的にまたは完全に画像化することができる。本発明のこの実施形態においてチャネル６８はストライプ内で色要素７４を完全に画像化するには不十分な数であるため無効にされる。そのためライトバルブは、色要素７４が単一の走査で完全に画像化され不連続性が出現しないように位置３８”に割り送られる。本発明のこの実施形態は図４−Ｂに示した実施形態と同様であり、ブラック・マトリクスの一部分のみがストライプ特徴３０、３２および３４を中断している。換言すれば異なる色の要素を画像化する必要により主走査方向に沿って連続画像化間隙は作製されない。そのためすべてのスワス境界はブラック・マトリクスの一部分上に発生する。第１の走査の最後の動作チャネル（すなわち第１の走査の終了端線）がブラック・マトリクスの一部分上に画像化される。後続の且つ隣接する最初の動作チャネル（すなわち開始端線）がブラック・マトリクスの一部分上に画像化される。そのブラック・マトリクスの両部分は１つであり且つスワス境界がブラック・マトリクスの単一部分上にあることが必要な場合と同様でよい。代替的にはブラック・マトリクスの両部分は、他の色が画像化される少なくとも１つの非画像化エリアによって分離されたブラック・マトリクスの２つの部分により例証されるように、互いに異なっていてもよい。
【００３７】
前述したように後続の走査は前回の走査に重複または当接してもよい。規則的パターンを画像化する場合に利用可能な選択肢がさらにあることは明白である。図４−Ａを再度参照するとライトバルブ３８の最後のチャネル５２が図示するように特徴３４内に収まる場合、チャネル５０は無効にされ得るとともに後続走査は特徴３４の開始と整列し得る。代替的にはライトバルブの最後のチャネルが特徴３２と３４との間に収まるとすれば、後続走査はなお特徴３４の開始と整列して、連続走査またはスワス間にかなりの間隙を残し得る。このように規則的特徴の特定の反復に応じて後続の走査は重複してもしなくてもよい。
【００３８】
間隙は連続スワス間に発生するだけではない。スワス内間隙も任意の所与のスワス内に発生し得る。スワス内間隙５１は図４−Ａに示したストライプ構成により規定された非画像化エリアに対応する。さらにスワス内間隙を他のカラーフィルタ色に対応する後続のストライプまたは色要素が画像化される特定のエリアに限定する必要はない。またスワス内間隙は任意の所与のスワスによって画像化された色要素の輪郭を描くブラック・マトリクスの水平および垂直部分の両方内に発生可能である。ブラック・マトリクスのそれぞれの部分上への完全な画像化重複が望ましくない場合、ブラック・マトリクスの一部分の境界内に発生するスワス内間隙が実現可能である。図４−Ｃはライトバルブ位置３８のチャネル７２が作動されていない本発明の実施形態を示す。チャネル７２の位置はブラック・マトリクスの部分７０内の画像化エリアに対応している。そのためチャネル７２に隣接するチャネルはブラック・マトリクスの一部分７０の残りの部分上に画像化するため、部分７０内にスワス内間隙が生じる。その結果ブラック・マトリクスの各部分はそれぞれのブラック・マトリクス要素の幅より小さくなる。このようにブラック・マトリクスの一部分上にスワス内間隙が発生しようとまたはスワス間間隙が発生しようと、ライトバルブは、隣接の色要素に悪影響を与えることなくブラック・マトリクスの一部分上に部分的に重複するために十分な解像度または粒度を有する画像化光線を提供可能なチャネルを有さなければならない。
【００３９】
多チャネル・イメージングヘッドの構成は多数の方法で行い得る。基本的に特徴の規則的パターンを分析するとともに特徴間の反復距離を決定する。特徴がブラック・マトリクス上に重複して位置合わせ問題を低減することが望ましい特定なカラーフィルタの場合、反復距離はブラック・マトリクス上で開始するとともに終端する。イメージングヘッドのチャネルは決定された反復距離の倍数に従って完全な特徴を画像化するように構成されている。その結果この反復距離は各走査の開始端線と終了端線との間の距離または寸法に等しい。終了端線間のこの寸法は、必要な反復距離を生じる、レーザピクセルの長さとレーザヘッドで活性された変調光線により生成されたレーザピクセル数との積に相当する。レーザピクセルのいくつかが動作して他のレーザピクセルが不動作の例において、終端線間の寸法は各レーザピクセルの長さと動作レーザピクセル数の積により決定される。不動作レーザピクセルをすべてレーザヘッドの所定の部分内に配置し得る。例えば不動作レーザピクセルをレーザヘッドの一端に向かって配置し得る（例えば図４−Ａのチャネル５０、図４−Ｂのチャネル６６、および図４−Ｃのチャネル６８）。
【００４０】
反復走査の各々によって規定される終端線間の寸法は、Ｎ×Ｂ＋（Ｎ−１）×ＣとＮ×（Ｂ＋Ｃ）との間にあり得るが、ここでＮは整数、Ｃは走査方向に垂直な方向のブラック・マトリクスの幅、およびＢは走査方向に垂直な方向のブラック・マトリクス内に規定されるカラーフィルタパターン領域の長さである。代替的には反復走査の各１回によって規定される終端線間の寸法は、Ｎ×Ｂ＋（Ｎ−１）×ＣとＮ×Ｂ＋（Ｎ−０．５）×Ｃとの間にあり得るが、ここでＮは整数、Ｃは走査方向に垂直な方向のブラック・マトリクスの幅、およびＢは走査方向に垂直な方向のブラック・マトリクス内に規定されるカラーフィルタパターン領域の長さである。
【００４１】
イメージングまたはレーザヘッドが不変パターンを画像化する必要がある場合には、ヘッドを特定数のチャネル用に製造またはハードウェア構成し得る。パターンが時により変化する可能性がある場合には、構成手段をハードウェアまたはソフトウェアスイッチの形状で設け得ることは有利である。電子ハードウェアの構成用にデュアル・インライン・パッケージ（ＤＩＰ）スイッチを用いることは周知である。マイクロプロセッサハードウェアを多数のイメージング製品内に含むことにより、この構成はハードウェアへのソフトウェアインタフェースにより同等に良好に行い得る。ソフトウェアパラメータによる制御によりイメージングヘッドの自動的オンザフライ（ｏｎ−ｔｈｅ−ｆｌｙ）構成が可能になり、これはパターンに比較的頻繁な変更があることがある場合に望ましい。
【００４２】
代替的にはこの構成は、無効にすべきチャネルがチャネルに画像化させる画像データを受信しないように、画像化されるパターンを表わす画像化データを再フォーマットすることを含み得る。しかし画像化光線が各走査後に横断される量を調整してすべての特徴が確実に正しく描かれるようにすることも必要であることに留意すべきである。
【実施例】
【００４３】
（実施例）
１１×１３インチの３色画像を２２４個の利用可能チャネルを有する１２００ｄｐｉイメージングヘッド用に準備した。各画像化色要素ストライプの目標幅は、イメージングヘッド上の４チャネルに相当する８４．６μｍであった。異なる色の隣接ストライプ間の空間は１チャネル、または２１．１６７μｍであった。使用したイメージングヘッドは、カナダ、ブリティッシュ・コロンビア州、バーナビー（Ｂｕｒｎａｂｙ，Ｂｒｉｔｉｓｈ  Ｃｏｌｕｍｂｉａ，Ｃａｎａｄａ）のクレオ・インコーポレーション（Ｃｒｅｏ  Ｉｎｃ．）により製造されたスクエアスポット（登録商標）（ＳＱＵＡＲＥｓｐｏｔ（登録商標））サーマル・イメージングヘッドであった。このヘッドを（非特許文献１）に記載のフラットベッドスキャナに搭載した。
【００４４】
イメージングヘッド・インターフェースは８群内のみのイメージングチャネル数の設定を可能にする。４チャネル・オンおよび１チャネル・オフの選択パターン反復がさらにチャネル数を４０（５×８＝４０チャネル）の倍数に制約する。この特定のイメージングヘッド上で用い得る最大チャネル数は２００である。このようにイメージングヘッドを２００チャネルを作動し残りの２４チャネルを無効にするように構成した。
【００４５】
１つのティフ（Ｔｉｆｆ）形式イメージファイルを単一色分解（すなわち３１７．５μｍ離間した８４．６μｍストライプ）用のパターンで準備した。このファイルを青色、赤色および緑色供与体毎に順に別々に画像化した。赤色供与体の場合画像開始位置を１０５．８μｍずらした。緑色供与体の場合、画像開始位置をさらに１０５．８μｍずらして交互カラーストライプの完全パターンを作製した（例えば図１−Ａ参照）。構成されているように色要素エリアにはスワス境界は出現していない。画像化後各連続カラー供与体を除去して、次の画像化すべきカラー供与体と交換した。
【００４６】
その結果得られたサンプルをバンディングに関して主観的に特徴付けたところ、イメージングヘッド上で利用可能な全２２４チャネルで準備したサンプルより視認されにくいバンディングを示すことがわかった。
【００４７】
当業者には前例においてパターンおよびイメージングヘッドの選択が利用可能なイメージングヘッド構成の制約下で行われたことは容易に理解されよう。２４個の無効チャネルは生産性がおよそ１１％低減する影響を有する。任意の所与のパターンサイズおよび反復の場合、イメージングヘッドを特にスループットの損失を回避するように製造且つ構成し得る。例えば２４０チャネルの露光ヘッドにより実施例で詳述したパターンの画像化を最大生産性で進行し得る。
【００４８】
本発明をディスプレイおよび電子装置製作に関連して説明したが、本明細書に記載した方法は任意の規則的パターンの画像化にそのまま適用可能である。例えば本発明の方法をラボ・オン・チップ（ＬＯＣ：Ｌａｂ−ｏｎ−ａ−ｃｈｉｐ）製作用生物医学画像化分野で適用可能である。ＬＯＣ技術は計測および医療産業で急速に成長している研究主題である。原理は単一のマイクロチップの範囲で行われるサンプル準備、流体取り扱い、分析および検出工程を可能にする自動、微小規模実験室を作製することである。ＬＯＣチップはいくつかの反復パターン特徴を有してもよい。
【００４９】
加えて多チャネル・イメージングヘッドの具体的な実施形態を図２に関連して説明したが、図２のイメージングヘッドは単に例示である。本発明の方法により使用される多数の他の適当なタイプの多チャネル・イメージングヘッドがある。
【００５０】
以上の開示の対象である当業者には明らかであるように、本発明の要旨または範囲から逸脱することなく本発明を実行する上で多くの変更例および変形例が可能である。
【図面の簡単な説明】
【００５１】
【図１−Ａ】従来技術のカラーフィルタ構成の一部分の平面図である。
【図１−Ｂ】他の従来技術のカラーフィルタの一部分の平面図である。
【図２】従来技術のイメージングヘッドの光学系の斜視図である。
【図３】画像化基板に関連して示されたライトバルブおよび従来技術の画像化方法を説明する概略図である。
【図４−Ａ】本発明による画像化方法を説明する、基板に関連して示されたライトバルブの概略図である。
【図４−Ｂ】本発明の画像化方法の代替実施形態を説明する、基板に関連して示されたライトバルブの概略図である。
【図４−Ｃ】本発明の画像化方法のさらに他の代替実施形態を説明する、基板に関連して示されたライトバルブの概略図である。
【図１−Ａ】
2007523367.tif 000003
【図１−Ｂ】
2007523367.tif 000004
【図２】
2007523367.tif 000005
【図３】
2007523367.tif 000006
【図４−Ａ】
2007523367.tif 000007
【図４−Ｂ】
2007523367.tif 000008
【図４−Ｃ】
2007523367.tif 000009
【国際調査報告】
2007523367.tif 000010
2007523367.tif 000011
2007523367.tif 000012